(57)【要約】【課題】貯蔵運輸装置を強化でき、更に便利に複数の紙箱体を積み上げることができるクリップ装置を提供する。【解決手段】連接部１３は、撓曲、湾曲または開閉可能に形成される。クリップ本体１１は、連接部１３から両側へ伸び、板状に形成される。平面部２１は、連接部１３の両側のクリップ本体１１の同じ側に設けられており、クリップ本体１１の一端からクリップ本体１１から離れる方向へ延びる。クリップ３１は、長方形状に形成され、平面部２１のクリップ本体１１とは反対側の端部からクリップ本体１１側に延び、撓むこと、曲がること、または、折れることが可能である。第一結合部４１および第二結合部５１は、２つのクリップ本体１１の対応する位置に設けられ、互いに結合可能である。【選択図】図１
0003190222.tif 000002
【実用新案登録請求の範囲】
【請求項１】
撓曲、湾曲または開閉可能に形成される連接部（１３）と、
前記連接部から両側へ伸び、板状に形成されるクリップ本体（１１）と、
前記連接部の両側の前記クリップ本体の同じ側に設けられており、前記クリップ本体の一端から前記クリップ本体から離れる方向へ延びる平面部（２１）と、
前記平面部の前記クリップ本体とは反対側の端部から前記クリップ本体側に延び、撓むこと、曲がること、または、折れることが可能な長方形状のクリップ（３１）と、
２つの前記クリップ本体の対応する位置に設けられ、互いに結合可能な第一結合部（４１）および第二結合部（５１）と、
を備えるクリップ装置（１０）。
【請求項２】
２つの前記クリップ本体のいずれか一方に少なくとも一つの識別区（１７）が設けられていることを特徴とする請求項１に記載のクリップ装置。
【請求項３】
２つの前記クリップ本体にそれぞれ一つの貫通孔（１５）が形成されていることを特徴とする請求項１に記載のクリップ装置。
【請求項４】
前記連接部と前記クリップ本体の貫通孔（１５）との間に少なくとも一つの識別区（１７）が設けられていることを特徴とする請求項１に記載のクリップ装置。
【請求項５】
前記連接部が撓曲または湾曲することによって、２つの前記クリップ本体が前記第一結合部と前記第二結合部とを接近させ、結合させることを特徴とする請求項１に記載のクリップ装置。
【請求項６】
前記クリップは、前記クリップ本体に対し前記平面部と同じ側に位置することを特徴とする請求項１に記載のクリップ装置。
【請求項７】
前記クリップ本体の前記連接部は、前記クリップ本体を撓曲または湾曲し、かつ、前記クリップは、前記クリップ本体に対し傾斜するよう形成されていることを特徴とする請求項１に記載のクリップ装置。
【請求項８】
前記クリップ本体の前記第一結合部は、楕円状に形成され、中心に凸状結合部（４２）を有し、
前記第二結合部は、楕円状に形成され、中心に凹状結合部（５２）を有し、
前記凸状結合部は、前記凹状結合部と互いに結合可能であることを特徴とする請求項１または７に記載のクリップ装置。
【請求項９】
２つの前記クリップ本体は、前記クリップ本体の前記連接部が所定の角度に撓曲または湾曲することで、紙箱体（１）の外縁壁面の二つの隣接する端部、および側壁の上側縁部に当接し、前記クリップが前記紙箱体の二つの隣接する端部、および側壁の内側縁部の壁面を挟むことを特徴とする請求項１に記載のクリップ装置。
【請求項１０】
２つの前記クリップ本体は、前記クリップ本体の前記連接部が所定の角度に撓曲または湾曲することで、紙箱体（１）の内縁壁面の二つの隣接する端部、および側壁の上側縁部に当接し、前記クリップが前記紙箱体の二つの隣接する端部、および側壁の外側縁部の壁面を挟むことを特徴とする請求項１に記載のクリップ装置。
【考案の詳細な説明】
【技術分野】
【０００１】
本考案は、貯蔵運輸装置に関し、特に貯蔵運輸装置を強化でき、更に複数の紙箱を積み上げることができるクリップ装置に関する。
【背景技術】
【０００２】
従来、物流貯蔵運輸装置（例えば紙箱、収納箱、収納籠など）は、人が本体周囲の側壁を提げる、持つ、握る、引きずる、引っ掛ける、引き寄せる、掛けることで、運搬されている。紙箱等の箱体は、他の物流貯蔵運輸装置より軽いだけではなく、ある程度耐衝撃能力を有し、不使用時、便利に収納できるため、他の貯蔵運輸装置より幅広く使われている。
【考案の概要】
【考案が解決しようとする課題】
【０００３】
しかしながら、箱体の側壁は、壁面に力を加える面積が小さいため、間接的に運搬の利便性に影響を与えている。更に、箱体に過重な物品を載せるとき、あるいは積み上げるとき、過度に複数の箱体を積み上げると、側壁が不均一な力を受けるため、側壁の局部、あるいは本体が破損したり、損壊したり、箱の角が凹んだりする問題が起こる。人が運搬する場合、人に怪我をさせるリスクが高まるおそれがある。
【０００４】
本考案は、上述の問題に鑑みてなされたものであり、その目的は、貯蔵運輸装置を強化でき、更に便利に複数の紙箱体を積み上げることができるクリップ装置を提供することにある。
【課題を解決するための手段】
【０００５】
上述の目的を達成するため、本考案のクリップ装置は、連接部とクリップ本体と平面部とクリップと第一結合部および第二結合部とを備えている。
連接部は、撓曲、湾曲または開閉可能に形成される。クリップ本体は、連接部から両側へ伸び、板状に形成される。平面部は、連接部の両側のクリップ本体の同じ側に設けられており、クリップ本体の一端からクリップ本体から離れる方向へ延びる。
クリップは、長方形状に形成され、平面部のクリップ本体とは反対側の端部からクリップ本体側に延び、撓むこと、曲がること、または、折れることが可能である。第一結合部および第二結合部は、２つのクリップ本体の対応する位置に設けられ、互いに結合可能である。
【０００６】
以上述べたとおり、主に、紙箱体の端面、側壁の間に挟むことで固定する本考案のクリップ装置は、クリップ本体の形態が変化することによって、挟まれた物体の体積の大きさに合わせ、物を挟む役目を果たす。更に、クリップ本体の平面部により、力を受ける異なる面積を有する。紙箱体の側壁の力を受ける接触面積が大きくなるとき、運搬の利便性が高くなる。更に、複数のクリップ装置の上に、複数の紙箱体を積み上げるとき、重ねるときの箱の下方向の圧力に耐える性能が強化されるため、紙箱体の側壁の局部、あるいは本体が破損したり、損壊したり、箱の角が凹んだりする問題が起こるのを抑制することができる。人が運搬する場合、人に怪我をさせるリスクを低減することができる。
【図面の簡単な説明】
【０００７】
【図１】本考案の第１実施形態によるクリップ装置を示す斜視図。
【図２】本考案の第１実施形態によるクリップ装置を示す斜視図。
【図３】本考案の第１実施形態によるクリップ装置を示す上面図。
【図４】本考案の第１実施形態によるクリップ装置を適用した紙箱体を積み上げた状態を示す斜視図。
【図５】本考案の第２実施形態によるクリップ装置を示す上面図。
【図６】本考案の第２実施形態によるクリップ装置を適用した紙箱体を積み上げた状態を示す斜視図。
【図７】本考案の第３実施形態によるクリップ装置を示す斜視図。
【図８】本考案の第３実施形態によるクリップ装置を示す上面図。
【図９】本考案の第３実施形態によるクリップ装置を適用した紙箱体を積み上げた状態を示す斜視図。
【考案を実施するための形態】
【０００８】
本考案のクリップ装置、特徴及び功能を詳細に述べるために、以下の各実施形態を挙げ、図面に基づいて、説明する。下記各実施形態及び図面に付された同じ参考番号は、同じ、あるいは似た部材、あるいは特徴を示し、本考案の範囲を制限するものではない。
【０００９】
（第１実施形態）
図１、２に示すように、本考案の第１実施形態による箱体クリップ装置１０は、連接部１３とクリップ本体１１と平面部２１とクリップ３１と第一結合部４１および第二結合部５１とを備えている。ここで、箱体クリップ装置１０は、実用新案登録請求の範囲における「クリップ装置」に対応している。
【００１０】
一つのクリップ本体１１は、撓んだり、曲がったり、折れたり、開閉したりすることができる連接部１３から両側に延び、板状に形成されている。また、連接部１３の両側のクリップ本体１１にそれぞれ一つの貫通孔１５が形成されている。箱の中身の内容の名称及び功能を張りつけ、標示、識別するために、二つの識別区１７は、それぞれ連接部１３とクリップ本体１１の貫通孔１５との間に設けられている。
【００１１】
二つの平面部２１は、それぞれ連接部１３の両側のクリップ本体１１の同じ側に設けられ、クリップ本体１１の一端からクリップ本体１１から離れる方向へ延び、クリップ本体１１と一体に形成されている。各平面部２１の長さは、それぞれクリップ本体１１の長さ以下である。
二つのクリップ３１は、それぞれ平面部２１のクリップ本体１１とは反対側の端部からクリップ本体１１に延び、撓むこと（撓曲すること）、曲がること（湾曲すること）、または、折れることが可能で、長方形状に形成され、平面部２１と一体に形成されている。クリップ３１は、クリップ本体１１に対し平面部２１と同じ側に位置し、また、挟まれた物件の体積の大きさに合わせ、物を挟む役目を果たしている。クリップ３１の長さは平面部２１の長さ以下である。
【００１２】
第一結合部４１と第二結合部５１とは、それぞれ連接部１３の両側のクリップ本体１１の対応しあう位置に設けられ、互いに結合できる。連接部１３が撓曲、湾曲、または開閉することによって、クリップ本体１１の第一結合部４１と第二結合部５１とが互いに近づく。第一結合部４１は、楕円状に形成され、中心に凸状バックル４２を有している。一方、第二結合部５１は、楕円状に形成され、中心に凹状バックル５２を有している。第一結合部４１の凸状バックル４２は、連接部１３が撓曲、湾曲することにより、第二結合部５１の凹状バックル５２と互いに結合可能である。ここで、凸状バックル４２は、実用新案登録請求の範囲における「凸状結合部」に対応している。また、凹状バックル５２は、実用新案登録請求の範囲における「凹状結合部」に対応している。
【００１３】
図３、４は、本実施形態による箱体クリップ装置１０を紙箱体１に適用し、紙箱体１の端部、および側壁の間で挟んで持ち、固定して接続する例を示す図である。２つのクリップ本体１１は、クリップ本体１１の連接部１３が所定の角度で撓曲、湾曲することで、紙箱体１の外側縁部の壁面（外縁壁面）の二つの隣接する端部、および側壁の上側縁部の壁面に当接している。また、クリップ３１は、紙箱体１の二つの隣接する端部と側壁の内側縁部の壁面を挟む。クリップ本体１１の二つの平面部２１は、紙箱体１の二つの隣接する端部、側壁の上側縁部に当接し、Ｌ字状を呈し、力を受ける比較的大きな面積を有する。紙箱体１の側壁の力を受ける接触面積が大きくなるため、運搬時の便利性が高くなる。更に、複数の箱体クリップ装置１０の上に、複数の紙箱体１を積み上げるとき、重ねるときの紙箱体１の下方向の圧力に耐える性能が強化されるため、紙箱体１の側壁の局部、あるいは本体が破損したり、損壊したり、箱の角が凹んだりする問題が起きることを抑制できる。よって、本考案の箱体クリップ装置１０が貯蔵運輸装置を強化でき、さらに便利に複数の紙箱体１を積み上げることができる目的が達成される。
【００１４】
（第２実施形態）
本考案の第２実施形態によるクリップ装置を図５、６に示す。第２実施形態の主な構成は前述の第１実施形態と同じである。以下、異なる構成について説明する。
２つのクリップ本体１１は、連接部１３が所定の角度に撓曲、または湾曲し、紙箱体１の内側縁の縁部の壁面（内縁壁面）の二つの隣接する端部、および側壁の上側縁部に当接している。また、クリップ３１は、それぞれ紙箱体１の二つの隣接する端部、側壁の外側縁部の壁面を挟む。
【００１５】
以上述べたとおり、本実施形態は、クリップ本体１１の二つの平面部２１が紙箱体１の二つの隣接する端部、側壁の上側縁部に、Ｌ字状を呈する。よって、力を受ける、より大きな面積を有する。更に、複数の箱体クリップ装置１０の上に、複数の紙箱体１を積み上げられるとき、紙箱体１の下方向の圧力に耐える性能が強化されるため、本考案の目的が達成される。
【００１６】
（第３実施形態）
本考案の第２実施形態によるクリップ装置を図７〜９に示す。第３実施形態は、主な構成が前述の実施形態と同じである。以下、異なる構成についてのみ説明する。
【００１７】
２つのクリップ本体１１の第一結合部４１の凸状バックル４２は、クリップ本体１１の連接部１３が撓曲、または湾曲することで、第二結合部５１の凹状バックル５２と互いに結合する。また、クリップ３１の末端、すなわち平面部２１とは反対側の端部は、貫通孔１５に位置している。このように、クリップ３１は、クリップ本体１１に対し傾斜するよう形成されている。
【００１８】
以上述べたとおり、本実施形態は、主に２つのクリップ本体１１の間の連接部１３が曲折、または、湾曲により、２つのクリップ本体１１の背面が対向することで、紙箱体１の内側縁部の壁面（内縁壁面）の隣の上側の端部の縁部（上側縁部）に当接する。クリップ３１は、紙箱体１の外側縁部の壁面を挟んで、固定される。クリップ本体１１の二つの平面部２１は、紙箱体１の端部、及び側壁の上側縁部に力を受ける、より大きな面積を有する。複数の箱体クリップ装置１０の上に、複数の紙箱体１を積み上げるとき、重ねるときの紙箱体１の下方向の圧力に耐える性能が強化されるため、本考案の目的が達成される。
【００１９】
（他の実施形態）
以上述べた各実施形態の他、本考案は、以下のように実施することができる。
例えば、前述の実施形態では、識別区１７は、それぞれ連接部１３とクリップ本体１１の貫通孔１５の間に設けられている。他の実施形態では、少なくとも一つの識別区１７をクリップ本体１１の片側のみに設けることができる。
【００２０】
また、前述の実施形態では、第一結合部４１の凸状バックル４２は、連接部１３が撓曲、湾曲することにより、第二結合部５１の凹状バックル５２と互いに結合する。他の実施形態では、第一結合部４１は、連接部１３が撓曲、湾曲することにより、第二結合部５１に近づくことができる。
【００２１】
以上述べたとおり、紙箱体の端部、側壁の間に挟むことで固定する本考案のクリップ装置は、クリップ本体の形態が変化することによって、挟まれた物体の体積の大きさに合わせ、物を挟む役目を果たす。更に、クリップ本体の平面部により、力を受ける異なる面積を有する。紙箱体の側壁の力を受ける接触面積が大きいため、運搬の便利性が高くなる。更に、複数の箱体クリップ装置の上に、複数の紙箱体を積み上げるとき、重ねるときの紙箱体の下方向の圧力に耐える性能が強化されるため、紙箱体の側壁の局部、あるいは本体が破損したり、損壊したり、箱の角が凹んだりする問題が起こるのを抑制することができる。人が運搬する場合、人に怪我をさせるリスクを低減することができる。
【００２２】
上述した本考案の実施形態の構成装置あるいは部材は、例を挙げるためであり、本考案の使用範囲を制限するものではない。他の効能の装置、あるいは部材の代用、変化は、本考案の実用新案登録請求の範囲に含まれる。
【符号の説明】
【００２３】
１  ・・・・紙箱体
１０  ・・・箱体クリップ装置（クリップ装置）
１１  ・・・クリップ本体
１３  ・・・連接部
１５  ・・・貫通孔
１７  ・・・識別区
２１  ・・・平面部
３１  ・・・クリップ
４１  ・・・第一結合部
４２  ・・・凸状バックル
５１  ・・・第二結合部
５２  ・・・凹状バックル
【図１】
0003190222.tif 000003
【図２】
0003190222.tif 000004
【図３】
0003190222.tif 000005
【図４】
0003190222.tif 000006
【図５】
0003190222.tif 000007
【図６】
0003190222.tif 000008
【図７】
0003190222.tif 000009
【図８】
0003190222.tif 000010
【図９】
0003190222.tif 000011
【手続補正書】
【提出日】平成26年2月17日(2014.2.17)
【手続補正１】
【補正対象書類名】実用新案登録請求の範囲
【補正対象項目名】請求項４
【補正方法】変更
【補正の内容】
【請求項４】
前記連接部と前記クリップ本体の前記貫通孔との間に少なくとも一つの識別区（１７）が設けられていることを特徴とする請求項３に記載のクリップ装置。